(57)【特許請求の範囲】
【請求項１】
順次物体を移動させ各物体の印字欄に印字データに従って印字し不良を検出する印字不良検出システムにおいて、
コンピュータから印字ヘッドとデコーダーとに文字及びバーコードで印字欄に印字するためのデータを含む印字データを供給する手段と、
前記印字データを供給する手段により供給された印字データに従って文字及びバーコードで物体の印字欄に印字する印字ヘッドと、
前記印字データを供給する手段により供給された印字データの中の文字で印字欄に印字するためのデータと物体のバーコードから解読し文字によって表現されているデータとを比較することにより印字された文字が意図されたものであるか否かを検出するデコーダーとを具備することを特徴とする印字不良検出システム。
【請求項２】
ある地点を物体の印字欄が通過する予定の時間であって、かつ、その地点を物体が通過していることが検出されている時間でもある時間を、その地点を物体の印字欄が通過している時間として、その地点を物体に印字されたバーコードが通過していることが検出されている時間と比較することによりバーコードが印字欄から外れているか否かを検出する手段を具備することを特徴とする請求項１記載の印字不良検出システム。
【発明の詳細な説明】
【０００１】
【発明の属する技術分野】
本発明は、順次物体を移動させ各物体の印字欄に印字データに従って印字するときに発生する印字不良を検出することに関する。
【０００２】
【従来の技術】
ダイレクトメールの送付先などのように、シート状の紙や本などの物体の印字欄に、氏名、住所、電話番号などの情報を印字データに従って文字で印字したときの印字不良には、２種類ある。第１の印字不良は、印字された文字が意図されたものでない場合である。第２の印字不良は、物体の印字欄から外れて印字がなされた場合である。この印字不良を機械によって検出する方法としては、従来、以下のようなものがある。
【０００３】
第１の方法は、印字された文字をＯＣＲ（Ｏｐｔｉｃａｌ  Ｃｈａｒａｃｔｅｒ  Ｒｅａｄｅｒ）で読み取り、これを印字データと比較することにより、印字欄に意図された文字が印字されたか否かを検出するものである。ところが、ＯＣＲは誤認識が発生することが多く、印字された文字が意図された文字であっても、そうでないと判断されてしまうことが度々あるという問題がある。
【０００４】
第２の方法は、印字された文字の印字欄からのずれを絵柄の濃淡で検出するものである。当然この方法では、物体の印字欄から外れて印字されるという第２の印字不良は検出できても、印字された文字が意図されたものでないという第１の印字不良を検出することはできないという問題がある。
【０００５】
【発明が解決しようとする課題】
本発明は上記問題を解決するためになされたもので、順次物体を移動させ各物体の印字欄に印字データに従って印字するときに発生する印字不良を誤りなく検出できるようにすることを課題とする。
【０００６】
【課題を解決するための手段】
本発明において上記の課題を達成するために、まず請求項１の発明では、順次物体を移動させ各物体の印字欄に印字データに従って印字し不良を検出する印字不良検出システムにおいて、
コンピュータから印字ヘッドとデコーダーとに文字及びバーコードで印字欄に印字するためのデータを含む印字データを供給する手段と、
前記印字データを供給する手段により供給された印字データに従って文字及びバーコードで物体の印字欄に印字する印字ヘッドと、
前記印字データを供給する手段により供給された印字データの中の文字で印字欄に印字するためのデータと物体のバーコードから解読し文字によって表現されているデータとを比較することにより印字された文字が意図されたものであるか否かを検出するデコーダーとを具備することを特徴とする印字不良検出システムとしたものである。
【０００７】
また請求項２の発明では、ある地点を物体の印字欄が通過する予定の時間であって、かつ、その地点を物体が通過していることが検出されている時間でもある時間を、その地点を物体の印字欄が通過している時間として、その地点を物体に印字されたバーコードが通過していることが検出されている時間と比較することによりバーコードが印字欄から外れているか否かを検出する手段を具備することを特徴とする請求項１記載の印字不良検出システムとしたものである。
【０００８】
【発明の実施の形態】
図１は、本発明の印字不良検出システムの実施形態の概念図である。本実施形態は、パソコン１と、デコーダー２と、バーコードリーダー３と、センサ４と、印字ヘッド５と、搬送コンベア７と、自動供給装置８とを備えるシステムである。パソコン１は、自動供給装置８、搬送コンベア７、及び印字ヘッド５を制御する。この制御によって、順次自動供給装置８から供給され搬送コンベア７を流れる物体６の印字欄が印字ヘッド５を通過するとき、パソコン１から印字ヘッド５に印字データが送られ、印字ヘッド５は物体６の印字欄に印字を行う。
【０００９】
物体６の例としては、シート状の用紙、本などが挙げられる。また、印字ヘッド５の例としては、インクジェット式印字ヘッドが挙げられる。
【００１０】
文字及びバーコードで印字欄に印字するためのデータを含む印字データとは、順次自動供給装置８から供給され搬送コンベア７を流れる物体６ごとに、文字で印字欄に印字するためのデータに加えて、バーコードで印字欄に印字するためのデータをも含む印字データである。このとき、文字で表現される情報が、バーコードで表現される情報に含まれるようにする。例えば、物体６がダイレクトメール用紙ならば、印字ヘッド５は、氏名、住所、電話番号などの送付先の情報を物体６の印字欄に文字で印字するが、バーコードでも印字するようにする。これは、送付先の情報を文字で表現しているデータと、送付先の情報をバーコードで表現しているデータとを、印字データに含ませることにより行われる。
【００１１】
印字データは、パソコン１で作成しても良いし、他の装置で作成したものをパソコン１に取り込んでも良い。或いは、文字で印字するためのデータだけを他の装置で作成し、そのデータに基づいてパソコン１でバーコードで印字するためのデータを作成して印字データを完成させても良い。
【００１２】
パソコン１から印字データが印字ヘッド５に送られるとき、その印字データは同時にデコーダー２にも送られる。一方、物体６に印字されたバーコードは、バーコードリーダー３で読み取られ、デコーダー２で解読され文字に変換される。そして、読み取られたバーコードから変換された文字によって表現されているデータと、印字データの中の文字で印字欄に印字するためのデータとが比較される。比較の結果、両者に不一致があれば、パソコン１に信号が送られ、印字システムが停止する。
【００１３】
センサ４は、搬送コンベア７を流れて来る物体６を検出するためのものである。図２のＡは、このセンサ４からの２値出力を表わす。物体６がセンサ４を通過するとき、センサ４からの出力はＯＮになる。他方、物体６がセンサ４を通過していないとき、センサ４からの出力はＯＦＦになる。
【００１４】
図２のＣは、パソコン１に内蔵されているタイマからの２値出力を表わす。物体６の印字欄がセンサ４を通過する予定の時間には、タイマからの出力がＯＮになる。他方、物体６の印字欄がセンサ４を通過しない予定の時間には、タイマからの出力がＯＦＦになる。
【００１５】
パソコン１によって、センサ４及びタイマからの出力がともにＯＮになったとき、物体６の印字欄がセンサ４を通過していると判断する。従って、図２の１１、１２、１３に示す時間に、印字欄がセンサ４を通過したことになる。
【００１６】
図２のＢは、バーコードリーダー３からの２値の出力信号である。物体６に印字されたバーコードがバーコードリーダー３を通過しているとき、バーコードリーダー３からの出力がＯＮになる。他方、物体６に印字されたバーコードがバーコードリーダー３を通過していないとき、バーコードリーダー３からの出力がＯＦＦになる。より好ましくは、パソコン１によって、物体６がセンサ４とバーコードリーダー３との間を通過するのに必要な時間を考慮して、バーコードリーダー３からの２値出力を補正する。すなわち、物体６に印字されたバーコードがセンサ４を通過しているとき、バーコードリーダー３からの出力がＯＮになり、他方、物体６に印字されたバーコードがセンサ４を通過していないとき、バーコードリーダー３からの出力がＯＦＦになるように補正する。このようにして、図２のａ、ｂ、ｃは、バーコードがセンサ４を通過している時間を表わしている。
【００１７】
パソコン１によって、バーコードリーダー３からの出力信号から検出されるバーコードが、センサ４及びタイマの出力信号から判断される印字欄に、印字されているか否かを判断する。例えば、図２のａは、図２の１１の中にあるので、バーコードは印字欄内に印字されていると判断される。また、図２のｂも、図２の１２の中にあるので、バーコードは印字欄内に印字されていると判断される。しかし、図２のｃは、図２の１３の外にあるので、バーコードは印字欄外に印字されていると判断される。印字欄外にあると判断されると、パソコン１は、印字システムを停止する。
【００１８】
【発明の効果】
以上の結果、バーコードはＯＣＲよりも誤認識率が低いので、本発明は、順次物体を移動させ各物体の印字欄に印字データに従って印字するときに発生する印字不良を誤りなく検出できるという効果がある。
【図面の簡単な説明】
【図１】  本発明の印字不良検出システムの実施形態の概念図。
【図２】  バーコードが印字欄に印字されたか否かを確認する方法を説明するタイムチャート
【符号の説明】
１…パソコン
２…デコーダー
３…バーコードリーダー
４…センサ
５…印字ヘッド
６…物体
７…搬送コンベア
８…自動供給装置
１１…印字欄
１２…印字欄
１３…印字欄
Ａ…センサからの出力信号
Ｂ…バーコードリーダーからの出力信号
Ｃ…タイマからの出力信号
ａ…バーコード
ｂ…バーコード
ｃ…バーコード
【図１】
0004505883.tif 000002
【図２】
0004505883.tif 000003